(57)【要約】【課題】着用者の臀部を十分に覆うとともに、腹部への圧迫を可及的に小さくすることができる着用物品の製造方法を提供する。【解決手段】着用者の胴にフィットされる胴部と、着用者の股間を覆う吸収体とを備えた着用物品の製造方法であって、胴部の少なくとも一部を構成するウェブを流れ方向に沿った波形の切断線において切断することにより、凸状部と凹状部を備えた第１ウェブと第２ウェブを形成し、両ウェブの各凸状部の位置が合うように積層され、各凸状部に吸収体が配置されている。従って、背側胴部が凸状であることから、着用者の臀部を十分に覆うとともに、腹部への圧迫を可及的に小さくすることができる着用物品を製造することができる。【選択図】図１
2008073216.tif 000002
【特許請求の範囲】
【請求項１】
着用者の胴にフィットされる胴部と、着用者の股間を覆う吸収体とを備えた着用物品の製造方法であって、
胴部の少なくとも一部を構成し、一対の側縁を有するウェブを流れ方向に沿って搬送する工程と、
前記ウェブを流れ方向に沿った波形の切断線において切断することで、所定間隔を開けて凸状部と凹状部とを備えた、第１ウェブと第２ウェブとに切断する工程と、
第１ウェブ又は第２ウェブの一方を反転させるとともに、第１ウェブの各凸状部と第２ウェブの各凸状部の位置が一致するように積層して、複合ウェブを形成する工程と、
吸収体の長手方向が複合ウェブの流れ方向と直交する向きであって、吸収体の一端を前記複合ウェブに接合し、他端を複合ウェブから突出して配置する工程と、を備えた着用物品の製造方法。
【請求項２】
請求項１において、波形の切断線は、ウェブの幅中心線から一方側縁に所定間隔を開けた線に対して対象である着用物品の製造方法。
【請求項３】
請求項２において、前記複合ウェブを形成する工程は、延出部が形成されるように、第１ウェブの側縁が第２ウェブの側縁から流れ方向と直交する方向に延出させて両ウェブを積層し、
複合ウェブに接合された吸収体の一端の少なくとも一部を、前記延出部で被覆する工程をさらに備えた着用物品の製造方法。
【発明の詳細な説明】
【技術分野】
【０００１】
本発明は、着用物品の製造方法に関するものである。
【背景技術】
【０００２】
着用者の股間を覆う吸収体と、胴に巻きつけられる胴回り部帯状体とを備えた着用物品の製造方法について、下記特許文献１の製造方法が知られている。
当該製造方法によれば、胴回り部帯状体は、弾性部材が配置された素材シートを、弾性部材を挾持するように折返して二層構造とすることにより形成される。
【特許文献１】特許第２５９１６８２号
【発明の開示】
【発明が解決しようとする課題】
【０００３】
しかし、かかる胴回り帯状体では幅が一定となるため、帯状体の幅が狭い場合には、着用時に臀部を十分に覆うことができなくなり着用感が悪くなる問題がある。そして、着用時に臀部を十分に覆うために、帯状体の幅を広くした場合には、腹部への圧迫が強くなるため着用感が悪化する問題がある。
【０００４】
したがって、本発明の解決すべき課題は、着用者の臀部を十分に覆うとともに、腹部への圧迫を可及的に小さくすることができる着用物品の製造方法を提供することにある。
【課題を解決するための手段】
【０００５】
上記課題を解決するために、本発明の製造方法は、着用者の胴にフィットされる胴部と、着用者の股間を覆う吸収体とを備えた着用物品の製造方法であって、胴部の少なくとも一部を構成し、一対の側縁を有するウェブを流れ方向に沿って搬送する工程と、前記ウェブを流れ方向に沿った波形の切断線において切断することで、所定間隔を開けて凸状部と凹状部とを備えた、第１ウェブと第２ウェブとに切断する工程と、第１ウェブ又は第２ウェブの一方を反転させるとともに、第１ウェブの各凸状部と第２ウェブの各凸状部の位置が一致するように積層して、複合ウェブを形成する工程と、吸収体の長手方向が複合ウェブの流れ方向と直交する向きであって、吸収体の一端を前記複合ウェブに接合し、他端を複合ウェブから突出して配置する工程と、を備えることを特徴とする。
【発明の効果】
【０００６】
本発明の製造方法によれば、波形の切断線に沿って切断することにより凸状部が形成されるため、凸状部が着用者の臀部を十分に覆うとともに、腹部への圧迫を可及的に小さくすることができる着用物品を製造することができる。
【発明を実施するための最良の形態】
【０００７】
以下、本発明の好ましい実施形態について図面を参照して説明する。
まず、図１（ａ）（ｂ）において、本発明の製造方法により製造し得る第１実施例にかかる着用物品について説明する。
【０００８】
着用物品１は、着用者の胴回りにフィットする胴部２と、股間を覆う吸収体３とを備え、胴部２のＷ方向中央内面と吸収体３の背側端部３ｂの外面とが接合され、吸収体３の中央部３ｃおよび腹側端部３ｆを胴部２から突出させることによって形成される。
【０００９】
このとき吸収体３は、透液性トップシート８と不透液性バックシート１０との間にコア９を介在したものであり、透液性トップシート８の上面には伸張状態の弾性部材を備えた立体カフ１１を配置してもよい。
【００１０】
透液性トップシート８は、液体をコア９へ通過させる材料であればよく、風合いの良いものがより好ましい。このような透液性トップシート８としては、織布、スパンボンドやメルトブローといった不織布、多孔性フィルム及びこれらのうちの１つ又は２つ以上の材料が結合されたものであってもよい。
【００１１】
不透液性バックシート１０は、液体を通過させない材料であればよく、熱可塑性樹脂フィルム等であればよい。また、バックシート１０は不透液性であれば、透湿性であるものがより好ましい。
【００１２】
コア９は、解繊パルプを主材とした層やエアレイド不織布等であればよく、高分子吸水ポリマーを併用したものがさらに好ましい。
【００１３】
さらに、不透液性バックシート１０のコア９が配置される面とは反対側の面に、図示しないカバーシートが積層されてもよい。当該カバーシートとしては風合いの良いものが好ましく、織布、スパンボンドやメルトブローといった不織布及びこれらのうちの１つ又は２つ以上の材料が結合されたものであってもよい。
【００１４】
胴部２のＷ方向両端内面には止着部材４が配置されている。止着部材４は、吸収体３の腹側端部３ｆ表面に止着されることによって、パンツ形状の着用物品として利用できる。なお、止着部材４は面ファスナーであってもよいし、接着剤を塗布したものであってもよい。また、腹側端部３ｆ表面の所定位置には、図示しない止着部材４に対応した面ファスナーや止着部材４と係合可能な不織布、補強シート等を別途配置してもよい。
【００１５】
また胴部２には、その幅がＷ方向両端で最も狭く、Ｗ方向両端から中央へ向かうに従って広くなる凸状部１２が形成されている。従って、止着部材４の配置箇所における胴部２の幅が狭くなっていることから、着用時の腹部への圧迫を可及的に小さくすることができる。さらに前記凸状部１２によって、着用者の臀部を十分に覆うことができるため、着用感の優れた着用物品となる。
【００１６】
さらに胴部２は、図１（ｂ）に示すように、弾性部材７が介在して外側シート５と内側シート６とが積層されることにより形成されている。このとき、内側シート６に対して外側シート７が幅広であることが好ましい。外側シート７が幅広であると、内側シート６に対して外側シート７に延出部１３が形成されるため、当該延出部１３を着用物品の内側に折り曲げて、吸収体３の背側端部３ｂの少なくとも一部を被覆することができる。
【００１７】
かかる被覆により、背側端部３ｂの縁が着用者に接触することがないため、着用者の不快感が軽減される。また、かかる被覆により、吸収体３の胴部２における接合強度が増加するため、排便時等、吸収体３の重量が重くなった時に吸収体３が胴部２から離脱する危険を防止することができる。
【００１８】
次に、着用物品１の製造方法を説明する。なお、流れ方向とはＭＤ方向を示し、流れ方向に直交する方向とはＣＤ方向を示す。
図２（ａ）に示すように、ＭＤ方向に沿って、一対の側縁１ｅ、２ｅを有するウェブ２０が搬送される。そして、ＭＤ方向に沿った波形の切断線ＣＬ１においてウェブ２０が切断され、外面シート７となる第１ウェブ２１と内面シート６となる第２ウェブ２２が形成される。このとき、第１ウェブ２１および第２ウェブ２２には所定間隔開けて凸状部２５が形成される。
【００１９】
さらに、ＭＤ方向に沿って弾性部材２３が伸張状態で配置される。弾性部材２３は第１ウェブ２１のみに配置されてもよいし、第２ウェブ２２のみに配置されてもよい。また、切断前のウェブ２０に対して配置されてもよい。さらに、弾性部材２３は、糸ゴム、平ゴム、弾性ホットメルト、弾性フィルム等、伸縮性を有する材料であればいずれのものであってもよく、接合手段は、接着剤等、公知の手段であればいずれであってもよい。
【００２０】
このとき図２（ａ）に示すように、切断線ＣＬ１はウェブ２０の幅中心線Ｌ１（一点鎖線で示す）から一方側縁に位置ズレした線Ｌ２（二点鎖線で示す）に対して対象となるように波形を描くことが好ましい。これにより、後述する延出部Ｄが形成される。
【００２１】
次に図２（ｂ）に示すように、第１ウェブ２１と第２ウェブ２２とをＣＤ方向に離間するように拡幅する。その後、図２（ｃ）に示すように、第１ウェブ２１と第２ウェブ２２の凸状部２５同士が対向するように、第１ウェブ２１と第２ウェブ２２とをＭＤ方向に沿って位相合わせする。なお、当該位相合わせは、前述の拡幅と略同時に行なってもよい。
【００２２】
さらに、図２（ｃ）に示すように、第２ウェブ２２を反転させて、弾性部材２３を挾持するように、第１ウェブ２１上に積層することにより複合ウェブ２４を形成する。なお、第１ウェブ２１と第２ウェブ２２の各凸状部２５、２５の位置が合うように積層されるのであれば、前述の拡幅を必ずしも行なう必要はなく、反転の後若しくは反転と略同時に位相合わせを行なってもよい。
【００２３】
このとき、前述の通り線Ｌ２に対して対象となる切断線ＣＬ１においてウェブ２０を切断していることから、複合ウェブ２４の形成時に、第1ウェブ２１の側縁１ｅが第２ウェブ２２の側縁２ｅからＣＤ方向に延出した延出部Ｄが形成される。
【００２４】
次に、図２（ｄ）に示すように、吸収体３の長手方向をＣＤ方向に向けて、ＭＤ方向に所定間隔を開けて形成された凸状部２５に対して、吸収体３の背側端部３ｂが配置され、接合される。一方、吸収体３の中央部３ｃと腹側端部３ｆとは、複合ウェブ２４からＣＤ方向に突出した状態で搬送される。なお吸収体３の接合は、公知の接合手段であればいずれであってもよい。
【００２５】
そして、複合ウェブ２４の延出部Ｄが第２ウェブ２２側に折り曲げられることによって、吸収体３の背側端部３ｂの少なくとも一部が被覆される。また、止着部材４が胴部両端となる所定位置に配置される。さらに、隣接する吸収体３の中間位置におけるＣＤ方向の切断線ＣＬ２に沿って個別の着用物品１に切断される。
【００２６】
なお、止着部材４は切断線ＣＬ２を跨ぐように配置されてもよい。そして、個別の着用物品１に切断される際に、止着部材４もその中央部で合わせて切断されてもよい。
また図示しないが、切断線ＣＬ２における切断の前後いずれかにおいて、吸収体３の背側端部３ｂと腹側端部３ｆとがトップシート８同士対向するように、吸収体３を折り曲げる工程を備えてもよい。
【００２７】
図３に第１実施例にかかる着用物品１の斜視図を示す。着用物品１は、胴部両端の止着部材４が吸収体３の腹側端部３ｆ表面に止着されることにより、パンツタイプの形態となる。さらに止着部材４を着脱可能とすることにより、テープタイプの着用物品としても機能する。
【００２８】
なお、図３に示すようなパンツタイプの形態となるように、図２（ｄ）に示した個別の着用物品１への切断後、止着部材４が吸収体３の腹側端部３ｆ表面に止着されるように、腹側胴部２ｆを折り曲げる工程をさらに備えてもよい。
【００２９】
図４は第２実施例にかかる着用物品１の斜視図を示す。本実施例では、胴部２のＷ方向両端部同士が接合されている。このとき一方端部内面に取り付けられた止着部材４が、他方端部の外面若しくは外面に取り付けられた対応する止着部材に接合される。そして腹側胴部２ｆ表面と吸収体３の腹側端部３ｆ内面とが図示しない止着部材によって接合されている。なおいずれの止着部材による接合も、接着剤によって永久的に接合されてもよいし、雄面ファスナーと雌面ファスナー又は雄面ファスナーと不織布の組合せにより着脱可能に接合されてもよい。
【００３０】
また、図４に示すように吸収体３の背側端部３ｂを、図３に示すような延出部１３（Ｄ）によって被覆する必要が無い場合は、ウェブ２０の幅中心線Ｌ１に対して対象となる切断線において、ウェブ２０を切断してもよい。
【００３１】
さらに、図４において吸収体３の背側端部３ｂ裏面が背側胴部２ｂに対して着脱可能に接合されていれば、胴部２の両端部における接合を解除することなく使用済みの吸収体３を取り外し、新たな吸収体を取り付けることができ、交換作業が極めて容易となる。
【００３２】
また図４に示すように、胴部２における弾性部材７は、吸収体３が配置される箇所において収縮力が作用しないように切断されてもよいし、当該箇所に弾性部材７が存在しないように間欠的に配置されてもよい。
これにより弾性部材７の収縮力による吸収体３のヨレを防止することができる。
【産業上の利用可能性】
【００３３】
本発明は、使い捨てオムツなどの着用物品を製造する方法に適用することができる。
【図面の簡単な説明】
【００３４】
【図１】（ａ）第１実施例にかかる着用物品の平面図、（ｂ）図１（ａ）のＡ−Ａ断面図
【図２】第１実施例にかかる着用物品の製造方法を示す工程図
【図３】第１実施例にかかる着用物品の斜視図
【図４】第２実施例にかかる着用物品の斜視図
【符号の説明】
【００３５】
１      着用物品
２      胴部
２ｂ    背側胴部
２ｆ    腹側胴部
３      吸収体
３ｂ    背側端部
３ｃ    中央部
３ｆ    腹側端部
４      止着部材
５      外側シート
６      内側シート
７      弾性部材
８      透液性トップシート
９      コア
１０    不透液性バックシート
１１    立体カフ    
１２    凸状部
１３    延出部
２０    ウェブ
２１    第１ウェブ
２２    第２ウェブ
２３    弾性部材
２４    複合ウェブ
２５    凸状部
ＣＬ１  切断線
ＣＬ２  切断線
Ｗ      製品幅方向
ＭＤ    流れ方向
ＣＤ    幅方向
Ｄ      延出部
【図１】
2008073216.tif 000003
【図２】
2008073216.tif 000004
【図３】
2008073216.tif 000005
【図４】
2008073216.tif 000006